(57)【要約】    【課題】  質量分析データを用いた糖鎖構造の予測方法及びプログラムを提供すること。    【解決手段】  ＭＳ/ＭＳデータの所定ピークを基準として、質量が小さい側の所定範囲中のピークを選択する第１ステップ（Ｓ２）と、ピーク間の質量差を用いてデータベースを検索して得られた糖を接続して第１糖鎖を作成する第２ステップ（Ｓ２）と、複数種類の第１糖鎖の各々に関して、非還元末端糖を削除して第２糖鎖を生成する第３ステップ（Ｓ４）と、同じ非還元末端糖を複数含む第２糖鎖に関して、還元末端に最も近い非還元末端糖のみを残し、その他の非還元末端糖を削除して第３糖鎖を生成する第４ステップ（Ｓ４）と、第３糖鎖の各々において、非還元末端糖の非還元末端側に位置する糖を削除して第４糖鎖を生成する第５ステップ（Ｓ５）と、全ての第４糖鎖を対象として同じ順位に位置する同じ糖を１つのグループとする第６ステップ（Ｓ６）とを含む。【選択図】    図２
2008151514.tif 000002
【特許請求の範囲】
【請求項１】
分析対象の試料を開裂して質量分析することによって得られるＭＳ/ＭＳデータを用いる糖鎖構造の予測方法であって、
測定によって得られた前記ＭＳ/ＭＳデータ中の所定のピークを基準として、該ピークよりも質量が小さい所定範囲に存在する複数のピークを選択する第１ステップと、
選択された複数の前記ピーク間の質量差を求め、該質量差を用いて糖の質量の情報を含むデータベースを検索し、検出された複数の糖を接続して第１糖鎖を作成する第２ステップと、
前記第２ステップで作成された前記第１糖鎖が複数種類ある場合、前記第１糖鎖の各々に関して、非還元末端糖を削除して第２糖鎖を生成する第３ステップと、
同じ非還元末端糖を複数含む前記第２糖鎖に関して、還元末端に最も近い前記非還元末端糖のみを残し、その他の前記非還元末端糖を削除して、第３糖鎖を生成する第４ステップと、
前記第３糖鎖の各々において、前記非還元末端糖の非還元末端側に位置する糖を削除して第４糖鎖を生成する第５ステップと、
全ての前記第４糖鎖を対象として、還元末端糖から数えて同じ順位に位置する同じ糖の全てを１つのグループとする第６ステップとを含むことを特徴とする糖鎖構造の予測方法。
【請求項２】
前記第６ステップの後に、
特定の前記グループの非還元末端側に隣接する２つのグループが存在する場合、糖鎖が分岐していると決定し、
１つのグループのみが存在する場合、分岐していない直鎖であると決定する第７ステップをさらに含むことを特徴とする請求項１に記載の糖鎖構造の予測方法。
【請求項３】
分析対象の試料を開裂して質量分析することによって得られるＭＳ/ＭＳデータを用いる糖鎖構造の予測プログラムであって、コンピュータに、
測定によって得られた前記ＭＳ/ＭＳデータ中の所定のピークを基準として、該ピークよりも質量が小さい所定範囲に存在する複数のピークを選択する第１の機能と、
選択された複数の前記ピーク間の質量差を求め、該質量差を用いて糖の質量の情報を含むデータベースを検索し、検出された複数の糖を接続して第１糖鎖を作成する第２の機能と、
前記第２ステップで作成された前記第１糖鎖が複数種類ある場合、前記第１糖鎖の各々に関して、非還元末端糖を削除して第２糖鎖を生成する第３の機能と、
同じ非還元末端糖を複数含む前記第２糖鎖に関して、還元末端に最も近い前記非還元末端糖のみを残し、その他の前記非還元末端糖を削除して、第３糖鎖を生成する第４の機能と、
前記第３糖鎖の各々において、前記非還元末端糖の非還元末端側に位置する糖を削除して第４糖鎖を生成する第５の機能と、
全ての前記第４糖鎖を対象として、還元末端糖から数えて同じ順位に位置する同じ糖の全てを１つのグループとする第６の機能とを実現させることを特徴とする糖鎖構造の予測プログラム。
【請求項４】
前記第６の機能の後に、
特定の前記グループの非還元末端側に隣接する２つのグループが存在する場合、糖鎖が分岐していると決定し、
１つのグループのみが存在する場合、分岐していない直鎖であると決定する第７の機能を、さらにコンピュータに実現させることを特徴とする請求項３に記載の糖鎖構造の予測プログラム。
【発明の詳細な説明】
【技術分野】
【０００１】
本発明は、糖脂質、糖タンパク質などの糖鎖構造を予測する方法およびそのコンピュータプログラムに関する。
【背景技術】
【０００２】
生命科学の分野では、ヒトゲノムのシーケンスデータが公開されたことに伴って、ポストゲノムシーケンス時代として、タンパク質および糖脂質の機能解析、構造解析、相互作用解析などを研究対象とするようになった。
【０００３】
生体内において糖鎖は、タンパク質および脂質と結合（以下、糖鎖修飾と記す）しており、これによってタンパク質および糖脂質本来の機能を発揮することになる。従って、糖タンパク質および糖脂質の機能の解明は、ゲノム創薬や再生医療等を実現するために不可欠である。
【０００４】
タンパク質に関しては、ゲノムからの１次産物として、ゲノム情報を用いた網羅的な解析が可能である。しかし、糖鎖は、タンパク質を介する２次的な産物であり、網羅的な構造解析は容易ではない。
【０００５】
一方、飛行時間型質量分析装置（ＭＡＬＤＩ−ＴＯＦ  ＭＳ、以下、単に質量分析装置とも記す）が開発され、これを用いたタンパク質の網羅的な解析方法が確立されている。さらに、同質量分析装置は、糖脂質の構造解析にも利用されている。例えば、特許文献１、２には、質量分析装置を用いた糖タンパク質などにおける糖鎖構造の解析方法が開示されている。
【特許文献１】特開２００５−３００４２０号公報
【特許文献２】特開２００５−２６５６９７号公報
【発明の開示】
【発明が解決しようとする課題】
【０００６】
しかし、特許文献１に開示された方法では、糖鎖構造を求めるために、糖鎖にプラスチャージイオンを付加して飛行時間型質量分析装置による質量分析を行う。また、糖鎖シーケンスを求めることはできるが、糖鎖における分岐構造を自動的に決定することはできない。
【０００７】
また、特許文献２に開示された方法では、糖鎖構造を求めるために、糖鎖を開裂して質量分析して得られたＭ２フラグメントパターンだけでなく、Ｍ２フラグメントイオンをさらに開裂して質量分析を行い、Ｍ３フラグメントパターンを得ることが必要となり、それを用いた複雑な処理を行わなければならない。
【０００８】
従って、本発明は、糖鎖を開裂して質量分析して得られたデータを用いて、分岐構造を含む糖鎖構造を自動的に予測することができる糖鎖構造の予測方法及び予測プログラムを提供することを目的とする。
【課題を解決するための手段】
【０００９】
本発明の目的は、以下の手段によって達成される。
【００１０】
即ち、本発明に係る糖鎖構造の予測方法は、分析対象の試料を開裂して質量分析することによって得られるＭＳ/ＭＳデータを用いる糖鎖構造の予測方法であって、測定によって得られた前記ＭＳ/ＭＳデータ中の所定のピークを基準として、該ピークよりも質量が小さい所定範囲に存在する複数のピークを選択する第１ステップと、選択された複数の前記ピーク間の質量差を求め、該質量差を用いて糖の質量の情報を含むデータベースを検索し、検出された複数の糖を接続して第１糖鎖を作成する第２ステップと、前記第２ステップで作成された前記第１糖鎖が複数種類ある場合、前記第１糖鎖の各々に関して、非還元末端糖を削除して第２糖鎖を生成する第３ステップと、同じ非還元末端糖を複数含む前記第２糖鎖に関して、還元末端に最も近い前記非還元末端糖のみを残し、その他の前記非還元末端糖を削除して、第３糖鎖を生成する第４ステップと、前記第３糖鎖の各々において、前記非還元末端糖の非還元末端側に位置する糖を削除して第４糖鎖を生成する第５ステップと、全ての前記第４糖鎖を対象として、還元末端糖から数えて同じ順位に位置する同じ糖の全てを１つのグループとする第６ステップとを含むことを特徴としている。
【００１１】
上記した糖鎖構造の予測方法は、前記第６ステップの後に、特定の前記グループの非還元末端側に隣接する２つのグループが存在する場合、糖鎖が分岐していると決定し、１つのグループのみが存在する場合、分岐していない直鎖であると決定する第７ステップをさらに含むことができる。
【００１２】
また、本発明に係る糖鎖構造の予測プログラムは、分析対象の試料を開裂して質量分析することによって得られるＭＳ/ＭＳデータを用いる糖鎖構造の予測プログラムであって、コンピュータに、測定によって得られた前記ＭＳ/ＭＳデータ中の所定のピークを基準として、該ピークよりも質量が小さい所定範囲に存在する複数のピークを選択する第１の機能と、選択された複数の前記ピーク間の質量差を求め、該質量差を用いて糖の質量の情報を含むデータベースを検索し、検出された複数の糖を接続して第１糖鎖を作成する第２の機能と、前記第２ステップで作成された前記第１糖鎖が複数種類ある場合、前記第１糖鎖の各々に関して、非還元末端糖を削除して第２糖鎖を生成する第３の機能と、同じ非還元末端糖を複数含む前記第２糖鎖に関して、還元末端に最も近い前記非還元末端糖のみを残し、その他の前記非還元末端糖を削除して、第３糖鎖を生成する第４の機能と、前記第３糖鎖の各々において、前記非還元末端糖の非還元末端側に位置する糖を削除して第４糖鎖を生成する第５の機能と、全ての前記第４糖鎖を対象として、還元末端糖から数えて同じ順位に位置する同じ糖の全てを１つのグループとする第６の機能とを実現させることを特徴としている。
【００１３】
上記した糖鎖構造の予測プログラムは、前記第６の機能の後に、特定の前記グループの非還元末端側に隣接する２つのグループが存在する場合、糖鎖が分岐していると決定し、１つのグループのみが存在する場合、分岐していない直鎖であると決定する第７の機能を、さらにコンピュータに実現させることができる。
【発明の効果】
【００１４】
本発明によれば、糖タンパク質や糖脂質を修飾する糖鎖を開裂して質量分析することによって得られるＭＳ/ＭＳデータを用いて、分岐を含む糖鎖構造を自動的に予測することができる。
【発明を実施するための最良の形態】
【００１５】
以下、本発明に係る実施の形態を、添付した図面に基づいて説明する。
【００１６】
図１は、本発明の実施の形態に係る糖鎖構造の予測方法を実施するためのシステムを示す。本システムは、処理装置１と、処理装置１に対する指示などを行なう操作装置２と、処理装置１による処理結果などを表示する表示装置３と、質量分析装置４とを備えている。さらに、処理装置１は、演算処理部（以下、ＣＰＵと記す）１１と、データを一時的に保持するメモリ部１２と、データを持続的に保持する記録部１３と、操作装置２、表示装置３及び分析装置４とのインタフェース部（以下、ＩＦ部と記す）１４と、各部の間でのデータ（制御データ、測定データを含む）を交換するための内部バス１５とを備えている。
【００１７】
操作装置２は、例えばコンピュータ用のキーボード、マウスなどであり、ＣＰＵ１１に対する指示、データなどの入力手段である。表示装置３は、例えば液晶ディスプレイ、ＣＲＴディスプレイであり、ＣＰＵ１１による処理中の状況や処理結果をテキストやグラフィックスで表示する。処理装置１、操作装置２および表示装置３には、例えばコンピュータを用いることができる。ＣＰＵ１１が、記録部１３に記録されたコンピュータプログラムをメモリ１２上に読み出して、これに従って後述する一連の処理を実行することによって、糖鎖構造が予測される。
【００１８】
質量分析装置４は、例えばマトリックス支援レーザ脱離イオン化装置（MALDI：Matrix Assisted Laser Desorption/Ionization）、四重極電場型イオントラップ装置（Quadrupole Ion Trap）、及び飛行時間型質量分析器（Time Of Flight）を備えている。質量分析装置４は、質量スペクトル分析（以下、ＭＳ分析と記す）において、ＭＳ分析を２回以上繰り返すことが可能な質量分析装置であり、ある試料（糖タンパク質、糖脂質など）をＭＳ分析し、さらにレーザによってその試料を開裂（イオン化による分離）させてＭＳ分析を行う。ＭＡＬＤＩ−ＴＯＦ  ＭＳによるＭＳ分析に関しては公知であるので、詳細説明は省略する。
【００１９】
本明細書においては、質量分析装置４によって行われるＭＳ分析において、試料の１回目のＭＳ分析によって得られるスペクトルデータをＭＳデータと表記し、１回目のＭＳ分析において得られたスペクトルデータのイオンピークから特定のイオンを選択し、その特定のイオンをプレカーサーイオンとして２回目のＭＳ分析（ＭＳ/ＭＳ分析と記す）を行って得られたデータをＭＳ/ＭＳデータと表記する。
【００２０】
次に、本発明の実施の形態に係る糖鎖構造の予測方法を、図２および図３に示したフローチャートに従って説明する。以下に説明する各処理は、得に断らない限りＣＰＵ１１が行なう処理として記載する。即ち、ＣＰＵ１１が、メモリ部１２をワーク領域として使用し、記録装置１３から読み出したデータに対して処理を実行する。処理の途中結果、最終結果は、必要に応じて記録部１３の所定領域に記録される。また、記録部１３には、予め糖に関するデータ（糖の名称、質量など）がデータベースとして記録されているとする。
【００２１】
ステップＳ１において、操作者が処理対象の糖鎖を含む試料（ここでは糖脂質とする）に対して質量分析装置４を操作して、上記したようにＭＳ分析およびＭＳ/ＭＳ分析を行う。得られたＭＳデータ及びＭＳ/ＭＳデータは質量分析装置４からＩＦ部１４を介して、記録部１３に伝送されて記録される。このとき、ＭＳデータを用いて糖残基の分子と一致するフラグメントが検出され、それを対象としてＭＳ/ＭＳ分析が行われる。なお、このとき、精度の良い測定データを得るためには、試料に応じたマトリックスを採用することが望ましい。ＭＳ分析において、マトリックスを用いることは公知であるので説明を省略する。
【００２２】
ステップＳ２において、ステップＳ１で記録部１３に記録されたＭＳ/ＭＳデータを用いて、その中から特定のフラグメントに対応するピークを自動検出し、そのピークの質量を基準として、糖鎖を求める。ＭＳ/ＭＳデータ（スペクトル）を示す図４を用いて具体的に説明すると、次の通りである。なお、図４において、横軸は質量電荷比（ｍ／ｚ）（以下、単に質量と記す）であり、縦軸はイオン強度であり、図４に示したスペクトルデータは、実測されたＭＳ/ＭＳデータから所定のしきい値以下のノイズデータを除去し、自動検出した各ピークを実線の縦線で表示している。
【００２３】
図４において符号Ｆで示したフラグメントを表すピークの左側の所定範囲（質量範囲）における各ピークの質量ｍiの差Δｍij＝ｍi−ｍj（ｉ、ｊは、ｉ＜ｊが成り立つ自然数であり、ｍi＞ｍjとなるように決定されている）を求め、Δｍijを用いて、記録部１３に記録されている糖のデータベースを検索し、該当する糖が存在するか否かを判定する。図５に糖のデータベースに記録されている情報の一例を示す。図５は、糖の名称、糖を表す記号、質量の上限及び下限が対応させて記録されていることを示している。この場合、ｕk≦Δｍij≦ｄk（ｋは自然数）を満たす糖がデータベース中に存在するか否かを判定する。存在した場合、対応する糖の記号（Ｇ１、Ｇ２など）を、記録部１３に記録する。ここで、データベース中の質量の上限ｕiおよび下限ｄiの差（ｕi−ｄi）は、測定誤差に応じて決定されていればよい。
【００２４】
図４では、例えば、Δｍ13＝ｍ1−ｍ3を用いて検索した結果、Pentoseが該当すると判断され、Δｍ37＝ｍ3−ｍ7を用いて検索した結果、HexNAcが該当すると判断されたことを示している。そして、記録部１３には、検索結果として糖鎖を表す３種類の記号列Ｇ２Ｇ２Ｇ１Ｇ３、Ｇ２Ｇ２Ｇ３Ｇ１、Ｇ２Ｇ３Ｇ２Ｇ１が記録されることになる。ここで、糖鎖の左側は、図４のスペクトトルの左側、即ち質量がより小さい側に対応している。従って、糖鎖の最も左側の記号は、糖鎖によって修飾されているセラミドが結合している糖（以下、還元末端糖とも記す）を表し、糖鎖の最も右側の記号は、何も結合していない糖（以下、非還元末端糖とも記す）を表している。
【００２５】
なお、以下においては、糖を表す記号（Ｇ１、Ｇ２など）を対象として処理が行われるが、理解を容易にするために、糖の用語を用いて説明する。従って、以下において糖および糖鎖とは、それらを表す記号および記号列をも意味する。
【００２６】
ステップＳ３において、ステップＳ２で求めた糖鎖（記号列）が１種類であるか否かを判断し、１種類であればステップＳ７に移行し、１種類で無ければステップＳ４に移行する。ステップＳ４では、非還元末端糖に該当する糖鎖中の糖を決定する処理を行う。具体的な処理は図３のフローチャートに示される。
【００２７】
ステップＳ４０において、記録部１２に記録された複数の糖鎖に関して、右端の非還元末端糖を特定して一時的に記録し、各糖鎖から右端の糖を削除する。例えば、図４に示したＭＳ/ＭＳデータから得られた糖鎖を示した図６の場合、斜線を引いた部分のPentoseおよびHexNAcを非還元末端糖として、該当する記号Ｇ３およびＧ１を一時的にメモリ部１２に記録し、図７に示したように糖鎖から非還元末端糖を削除する。従って、この段階では糖鎖は、Ｇ２Ｇ２Ｇ１Ｇ３がＧ２Ｇ２Ｇ１となり、Ｇ２Ｇ２Ｇ３Ｇ１がＧ２Ｇ２Ｇ３となり、Ｇ２Ｇ３Ｇ２Ｇ１がＧ２Ｇ３Ｇ２となる。
【００２８】
ステップＳ４１において、ステップＳ４０で一時的に記録した非還元末端糖（図６の例では、PentoseおよびHexNAc）に対応する記号の中から、１つの糖を表す記号（図６の例では、Ｇ３またはＧ１）を読み出す。本ステップで読み出した非還元末端糖をＡで表す。
【００２９】
ステップＳ４２において、ステップＳ４１で読み出した非還元末端糖Ａと同じ記号が、ステップＳ４１で新たに作成された糖鎖の中に含まれる数Ｍを求める。図６の例では、記号ＡがＧ１（HexNAc）の場合には、１つ（図７において破線の四角で示す）含まれており、Ｍ＝１となる。また、記号ＡがＧ３（Pentose）の場合には２つ（図７において実線の四角で示す）含まれており、Ｍ＝２となる。
【００３０】
ステップＳ４３において、Ｍ＝１か否かを判断し、Ｍ＝１であれば、ステップＳ４５に移行し、Ｍ＝１で無ければ、ステップＳ４４に移行する。
【００３１】
ステップＳ４４において、糖鎖において、非還元末端糖Ａと同じ糖のうち、還元末端に最も近い糖のみを残し、それ以外の糖を削除する。即ち、各糖鎖に含まれる記号Ａと同じ記号のうち、最も左側に位置する記号を残し、その他の記号Ａと同じ記号を削除する。図７の例では、実線の四角で示した２つのPentoseが、本ステップでの処理対象であり（Ａ＝Ｇ３）、上から３行目の糖鎖に含まれる糖（Pentose）が、２行目の糖鎖に含まれる糖（Pentose）よりも左側に位置しているので、３行目の糖鎖における実線の四角で示した糖（Pentose）を残し、２行目の糖鎖の実線の四角で示した糖（Pentose）を削除する。
【００３２】
この処理の有効性は、次の点から理解できる。まず、複数の糖鎖に同じ非還元末端糖が存在していることは、分岐が存在することを意味する。次に、ある糖鎖において、非還元末端に近い側に非還元末端糖が存在している場合、非還元末端糖が比較的早い段階で開裂されたことを意味し、その糖鎖は分岐位置を特定するのに十分な情報を含んでいない。従って、そのような糖鎖に含まれる非還元末端糖を削除し、同じ非還元末端糖を含む複数の糖鎖のうち、非還元末端糖が最も還元末端側に近い位置にある糖鎖中の非還元末端糖のみを残すのである。図７の例では、２行目の糖鎖において、非還元末端糖であるPentoseが、別の枝を含む糖鎖に割り込んでおり、２行目の糖鎖中のPentoseは分岐を特定するに有効でないので削除される。
【００３３】
ステップＳ４５において、ステップＳ４０で一時的に記録した全ての記号に関して、ステップＳ４１〜Ｓ４４の処理を実行したか否かを判断し、全て終了していなければステップＳ４１に戻り、全て完了していればステップＳ５に移行する。
【００３４】
このようにステップＳ４での処理によって、複数の糖鎖全体において、各非還元末端糖が１つだけ存在するようになる。図７の例では、図８において破線及び実線の四角で示したように、全ての非還元末端糖、即ちHexNAcおよびPentoseの位置が決定される。
【００３５】
次に、ステップＳ５において、各糖鎖から不要な糖を削除する。具体的には、各糖鎖のうち、ステップＳ４によって非還元末端糖として確定された糖を含む糖鎖において、非還元末端糖として確定された糖の右側に位置する糖を全て削除する。例えば図８の例では、３行目のPentoseの右側のHexoseが削除されて図９のようになる。
【００３６】
続いて、ステップＳ６において、全ての糖鎖を対象として、対応する列毎に同じ糖をまとめる。即ち、糖鎖の左端（還元末端側）をそろえて、同じ列（左端から数えて同じ順位）に位置する同じ糖を１つのグループとする。例えば、図９の例では、図１０に示したようにグループ化する。図１０において、１つの四角に含まれた糖が１つのグループを構成する。
【００３７】
最後に、ステップＳ７において、全てのフラグメントについて処理を完了したか否かを判断して、未処理のフラグメントがあれば、ステップＳ２に戻り、上記した処理を繰り返す。
【００３８】
以上によって、フラグメント毎に、直鎖である糖鎖列、若しくは図１０に示したようにグループ化された糖鎖群が決定される。グループ化された糖鎖群から、糖鎖の分岐構造を予測するには、特定のグループの直ぐ右側に２つのグループが存在する場合、分岐型の糖鎖であると決定し、１つのグループのみが存在する場合、分岐していない直鎖型と決定すればよい。従って、図１０の例では、図１１において破線の四角内に示したように、分岐した糖鎖構造が予測され、画像として表示装置３に表示することができる。図１１において、Ｃｅｒは糖鎖修飾されている脂質（セラミド）を表す。
【００３９】
以上では、特定の実施の形態を用いて、特に糖脂質を対象として本発明を適用する場合について説明したが、本発明は上記した実施の形態に限定されない。例えば、図２、図３に示した処理を種々変更して実施することができる。また、処理対象は糖脂質の糖鎖に限らず、糖タンパク質の糖鎖や、より一般の高分子を修飾する糖鎖に対しても適用可能である。
【実施例】
【００４０】
以下に実施例を示し、本発明の有効性を一層明確にする。
【００４１】
まず、人為的に作成したＭＡＬＤＩ−ＴＯＦ  ＭＳ／ＭＳデータ（以下ではフラグメントデータとも記す）を用いて本発明の糖鎖構造の予測方法に従って作成した予測プログラムの精度を評価した。用いた条件は以下の通りである。
予測対象糖：Pentose、DeOxyHexose、Hexose、HexNAc
予測対象構造：糖鎖の糖数が１〜１０であり、かつ、糖鎖構造は直鎖型もしくは２分岐を１箇所もつ分岐構造
これらの条件を用いた場合、評価対象となる糖鎖構造データ数は１２，８０４，１３０通りとなる。
【００４２】
この得られた人為的データ１２，８０４，１３０通りの全ての構造に対して、（１）構造予測に必要な情報のみのフラグメントデータからの構造予測と、（２）構造予測に必要な情報のみのフラグメントデータに一定の割合でランダムの値をノイズとして加えて生成したフラグメントデータからの構造予測とをそれぞれ行った。それぞれの予測結果の正答率および測定時間を表１に示す。ここでノイズを加えて生成したフラグメントデータの正答率および測定時間は、それぞれ３回予測した結果の平均値である。また、３回の予測において、フラグメントデータに加えるノイズを、毎回変更した。
【００４３】
【表１】
2008151514.tif 000003
さらに、GlcNAc-Man-Glc-Cer、GalNAc-GlcNAc-Man-Glc-Cer、GalNAc-(Fuc-)GlcNAc-Man-Glc-Cerの既知糖脂質構造を用いた精度評価も行った結果、すべての構造予測結果に正解構造、即ち実際の糖鎖構造が含まれていた。
【００４４】
以上のことから、本発明の糖鎖構造の予測方法及び予測プログラムが非常に有効であることが分かる。
【図面の簡単な説明】
【００４５】
【図１】本発明の実施の形態に係る糖鎖構造の予測方法の実施に使用するシステムの概略構成を示すブロック図である。
【図２】本発明の実施の形態に係る糖鎖構造の予測方法の概要を示すフローチャートである。
【図３】本発明の実施の形態に係る糖鎖構造の予測方法における非還元末端糖に該当する糖鎖中の糖を決定する処理を示すフローチャートである。
【図４】ＭＳデータの一例を示す図である。
【図５】糖のデータベースの一例を示す図である。
【図６】処理される前の初期の糖鎖の例を示す図である。
【図７】図６に示した糖鎖から右端の糖が削除された状態の糖鎖を示す図である。
【図８】図７に示した糖鎖から重複する非還元末端糖が削除された状態の糖鎖を示す図である。
【図９】図８に示した糖鎖から非還元末端糖の右側の糖が削除された状態の糖鎖を示す図である。
【図１０】図９に示した糖鎖において、糖がグループ化された状態の糖鎖を示す図である。
【図１１】図１０に示した糖鎖に対応する糖鎖構造を示す図である。
【符号の説明】
【００４６】
１    処理装置
１１  演算処置部（ＣＰＵ）
１２  メモリ部
１３  記録部
１４  インタフェース部（ＩＦ部）
１５  内部バス
２    操作装置
３    表示装置
４    質量分析装置
【図１】
2008151514.tif 000004
【図２】
2008151514.tif 000005
【図３】
2008151514.tif 000006
【図４】
2008151514.tif 000007
【図５】
2008151514.tif 000008
【図６】
2008151514.tif 000009
【図７】
2008151514.tif 000010
【図８】
2008151514.tif 000011
【図９】
2008151514.tif 000012
【図１０】
2008151514.tif 000013
【図１１】
2008151514.tif 000014